(57)【要約】  【課題】  格子状の壁部に対する弾性仕切り膜の接触状態を安定化して、動的な特性のばらつきを抑制することができる液封入式防振装置を提供すること。  【解決手段】  弾性仕切り膜８は、オリフィス金具９の格子状の壁部９４と、プレート金具１０の格子状の壁部１０４との間に挟持されている。格子状の壁部９４，１０４の略中心部には、上面視略正三角形の内周形状を有する受入穴９５，１０５が穿設され、弾性仕切り膜８の上下両面には、断面略正三角形の位置決め突起８５が突起されている。よって、仕切り体７の組み立てる場合には、位置決め突起８５と受入穴９５，１０５とが係合することで、弾性仕切り膜８を格子状の壁部９４，１０４に対して位置決めすることができる。その結果、両者の接触状態を安定化して、動的な特性のばらつきを抑制することができる。  【選択図】        図６
2005351350.tif 000002
【特許請求の範囲】
【請求項１】
第１取付け具と、筒状の第２取付け具と、その第２取付け具と前記第１取付け具とを連結し、ゴム状弾性材から構成される防振基体と、前記第２取付け具に取付けられて前記防振基体との間に液体封入室を形成するダイヤフラムと、前記液体封入室を前記防振基体側の主液室と前記ダイヤフラム側の副液室とに仕切る仕切り手段と、その仕切り手段の外周面と前記第２取付け具の内周面との間に形成され、前記主液室と副液室とを連通させるオリフィスとを備えると共に、
ゴム状弾性材から構成されその表裏両面にリブ群が突設される弾性仕切り膜と、その弾性仕切り膜の変位を両面側から規制する一対の格子状の壁部とを前記仕切り手段が備えて構成される液封入式防振装置において、
前記弾性仕切り膜の表裏両面にそれぞれ突起される突起部と、その突起部を受け入れるために前記一対の格子状の壁部にそれぞれ開口される受入部とを備え、
前記仕切り手段が組み立てられた場合には、前記突起部が前記受入部と係合することにより、前記弾性仕切り膜のリブ群が前記格子状の壁部に対して位置決めされることを特徴とする液封入式防振装置。
【請求項２】
前記突起部は、前記弾性仕切り膜の軸心を含む中心部から突起されると共に、前記受入部は、前記突起部に対応して、前記格子状の壁部の中心部に開口されていることを特徴とする請求項１記載の液封入式防振装置。
【請求項３】
前記仕切り手段は、前記一対の格子状の壁部の内の一方が一体に形成されると共にオリフィス流路の一方の出入口が開口される筒状部材と、前記一対の格子状の壁部の内の他方が一体に形成されると共にオリフィス流路の他方の出入口が開口される仕切り膜変位規制部材とを備え、
前記仕切り膜変位規制部材は、前記防振基体に形成される仕切り手段受け部と前記筒状部材との間に挟持固定されるものであることを特徴とする請求項１又は２に記載の液封入式防振装置。
【請求項４】
前記突起部は、前記弾性仕切り膜の軸心に対して回転対称となる多角形の断面形状を有して構成されると共に、
前記受入部は、前記突起部の断面形状に対応して、前記筒状部材および仕切り膜変位規制部材の軸心に対して回転対称となる多角形の内周形状を有し、前記突起部を複数の回転方向位置で受け入れ可能に構成されていることを特徴とする請求項３記載の液封入式防振装置。
【請求項５】
前記弾性仕切り膜のリブ群は、その弾性仕切り膜の軸心に対して放射状に配設される複数本の放射状リブを備え、
前記突起部は、その多角形状の各頂部が前記放射状リブの延設方向に一致するように配設されていることを特徴とする請求項４記載の液封入式防振装置。
【請求項６】
前記突起部は、前記弾性仕切り膜の軸心に対して回転方向に非対称の断面形状を有して構成されると共に、
前記受入部は、前記突起部の断面形状に対応して、前記筒状部材および仕切り膜変位規制部材の軸心に対して回転方向に非対称の内周形状を有し、前記突起部を１の回転方向位置でのみ受け入れ可能に構成されていることを特徴とする請求項３記載の液封入式防振装置。
【請求項７】
前記突起部およびリブ群は、前記弾性仕切り膜の表裏両面に同じパターンで形成されており、前記弾性仕切り膜が表裏の方向性を有さないように構成されていることを特徴とする請求項１から６のいずれかに記載の液封入式防振装置。
【請求項８】
前記格子状の壁部およびオリフィス流路の他方の出入口は、前記仕切り膜変位規制部材の表裏両面に同じパターンで形成されており、前記仕切り膜変位規制部材が表裏の方向性を有さないように構成されていることを特徴とする請求項３から７のいずれかに記載の液封入式防振装置。
【発明の詳細な説明】
【技術分野】
【０００１】
本発明は、液封入式防振装置に関するものである。
【背景技術】
【０００２】
自動車のエンジンを支持固定しつつ、そのエンジン振動を車体フレームへ伝達させないようにする防振装置として、液封入式防振装置が知られている。
【０００３】
液封入式防振装置は、一般に、エンジン側に取り付けられる第１取付け具と、車体フレーム側に取り付けられる第２取付け具とがゴム状弾性材から構成される防振基体で連結される。そして、第２取付け具に取付けられたダイヤフラムと防振基体との間に液封入室が形成され、この液封入室は、仕切り手段によって主及び副液室に仕切られると共に、これら主及び副液室がオリフィスによって互いに連通される。
【０００４】
この液封入式防振装置によれば、オリフィスによる主及び副液室間の流体流動効果や防振基体の制振効果により、振動減衰機能と振動絶縁機能とを果すことができる。
【０００５】
このような液封入式防振装置としては、更に、弾性仕切り膜を主及び副液室の間を区画するように配置して、両液室間の液圧変動を弾性仕切り膜の往復動変形で吸収することで、小振幅入力時の低動ばね特性を得ると共に、その弾性仕切り膜の両側に変位規制部材を設け、その弾性仕切り膜の変位量を両側から規制して膜剛性を高めることで、大振幅入力時の減衰特性を向上し得るように構成したいわゆる可動膜構造なども知られている（特許文献１）。
【特許文献１】特許第２８７５７２３号
【発明の開示】
【発明が解決しようとする課題】
【０００６】
しかしながら、可動膜構造では、弾性仕切り膜を変位規制部材に当接（衝突）させる構造であるため、その衝突音が車体フレームに伝達して、異音が発生するという問題点があった。上記特許文献１の液封入式防振装置では、変位規制部材にリブを設けることで、異音の低減を図っていたが、衝突音を避けることができず、異音を十分に低減するものではなかった。
【０００７】
そこで、本出願人は、この問題点について鋭意検討した結果、特願２００３−１０３５５０号に開示するように、弾性仕切り膜の両面に複数本のリブ状突起を突設し、このリブ状突起を変位規制部材（格子状の壁部）の格子部に当接させることで、振動に伴って弾性仕切り膜が格子状の壁部へ向かって変位する場合には、格子部に当接したリブ状突起が抵抗となることで、弾性仕切り膜を格子部に緩やかに衝突させ、異音を十分に低減することができることを見出した。
【０００８】
しかしながら、この構成では、格子状の壁部（格子部と格子孔）と弾性仕切り膜との相対的な位置関係に応じて、格子状の壁部（格子部と格子孔）に対するリブ状突起の接触状態（即ち、格子部との接触位置や接触面積など）が変化するため、同じ振幅が入力された場合でも、弾性仕切り膜の膜剛性の上昇率が安定せず、その結果、減衰特性などの動的な特性にばらつきが生じるという問題点があった。
【０００９】
これに対し、より多数のリブ状突起を弾性仕切り膜の放射方向及び周方向に設けた場合には、弾性仕切り膜の相対位置が多少ずれても、格子部とリブ状突起との当たり方を安定化することができるので、上記動的な特性のばらつきを抑制することができるが、この場合には、弾性仕切り膜全体としての膜剛性が大きくなり過ぎて、低動ばね特性を得ることが困難になるという問題点があった。
【００１０】
本発明は上述した問題点を解決するためになされたものであり、格子状の壁部に対する弾性仕切り膜の接触状態を安定化して、動的な特性のばらつきを抑制することができる液封入式防振装置を提供することを目的としている。
【課題を解決するための手段】
【００１１】
この目的を達成するために、請求項１記載の液封入式防振装置は、第１取付け具と、筒状の第２取付け具と、その第２取付け具と前記第１取付け具とを連結し、ゴム状弾性材から構成される防振基体と、前記第２取付け具に取付けられて前記防振基体との間に液体封入室を形成するダイヤフラムと、前記液体封入室を前記防振基体側の主液室と前記ダイヤフラム側の副液室とに仕切る仕切り手段と、その仕切り手段の外周面と前記第２取付け具の内周面との間に形成され、前記主液室と副液室とを連通させるオリフィスとを備えると共に、ゴム状弾性材から構成されその表裏両面にリブ群が突設される弾性仕切り膜と、その弾性仕切り膜の変位を両面側から規制する一対の格子状の壁部とを前記仕切り手段が備えて構成されるものであり、前記弾性仕切り膜の表裏両面にそれぞれ突起される突起部と、その突起部を受け入れるために前記一対の格子状の壁部にそれぞれ開口される受入部とを備え、前記仕切り手段が組み立てられた場合には、前記突起部が前記受入部と係合することにより、前記弾性仕切り膜のリブ群が前記格子状の壁部に対して位置決めされる。
【００１２】
請求項２記載の液封入式防振装置は、請求項１記載の液封入式防振装置において、前記突起部は、前記弾性仕切り膜の軸心を含む中心部から突起されると共に、前記受入部は、前記突起部に対応して、前記格子状の壁部の中心部に開口されている。
【００１３】
請求項３記載の液封入式防振装置は、請求項１又は２に記載の液封入式防振装置において、前記仕切り手段は、前記一対の格子状の壁部の内の一方が一体に形成されると共にオリフィス流路の一方の出入口が開口される筒状部材と、前記一対の格子状の壁部の内の他方が一体に形成されると共にオリフィス流路の他方の出入口が開口される仕切り膜変位規制部材とを備え、前記仕切り膜変位規制部材は、前記防振基体に形成される仕切り手段受け部と前記筒状部材との間に挟持固定されるものである。
【００１４】
請求項４記載の液封入式防振装置は、請求項３記載の液封入式防振装置において、前記突起部は、前記弾性仕切り膜の軸心に対して回転対称となる多角形の断面形状を有して構成されると共に、前記受入部は、前記突起部の断面形状に対応して、前記筒状部材および仕切り膜変位規制部材の軸心に対して回転対称となる多角形の内周形状を有し、前記突起部を複数の回転方向位置で受け入れ可能に構成されている。
【００１５】
請求項５記載の液封入式防振装置は、請求項４記載の液封入式防振装置において、前記弾性仕切り膜のリブ群は、その弾性仕切り膜の軸心に対して放射状に配設される複数本の放射状リブを備え、前記突起部は、その多角形状の各頂部が前記放射状リブの延設方向に一致するように配設されている。
【００１６】
ここで、複数本の放射状リブは、周方向略等間隔（例えば、略６０度毎）に配設されることが好ましい。弾性仕切り膜の膜剛性を均一化することで、変形が一部に集中して、耐久性が低下することを抑制すると共に、弾性仕切り膜の突起部を受入部に複数の回転位置で受け入れ可能に構成された場合には、弾性仕切り膜を回転（例えば、略１２０度）しても、リブ群と格子状の壁部との接触状態を一定に保つことができる。
【００１７】
請求項６記載の液封入式防振装置は、請求項３記載の液封入式防振装置において、前記突起部は、前記弾性仕切り膜の軸心に対して回転方向に非対称の断面形状を有して構成されると共に、前記受入部は、前記突起部の断面形状に対応して、前記筒状部材および仕切り膜変位規制部材の軸心に対して回転方向に非対称の内周形状を有し、前記突起部を１の回転方向位置でのみ受け入れ可能に構成されている。
【００１８】
請求項７記載の液封入式防振装置は、請求項１から６のいずれかに記載の液封入式防振装置において、前記突起部およびリブ群は、前記弾性仕切り膜の表裏両面に同じパターンで形成されており、前記弾性仕切り膜が表裏の方向性を有さないように構成されている。
【００１９】
請求項８記載の液封入式防振装置は、請求項３から７のいずれかに記載の液封入式防振装置において、前記格子状の壁部およびオリフィス流路の出入口は、前記仕切り膜変位規制部材の表裏両面に同じパターンで形成されており、前記仕切り膜変位規制部材が表裏の方向性を有さないように構成されている。
【発明の効果】
【００２０】
請求項１記載の液封入式防振装置によれば、弾性仕切り膜の表裏両面から突起部が突起されると共に、その突起部を受け入れて係合する受入部が格子状の壁部に開口されているので、仕切り手段を組み立てる場合には、突起部を受入部に挿入することで、弾性仕切り膜のリブ群を格子状の壁部に対して極めて容易に位置決めすることができるという効果がある。その結果、組み立てコストを低減して、その分、液封入式防振装置全体としての製品コストを低減することができるという効果がある。
【００２１】
また、このように、突起部と受入部との係合により、弾性仕切り膜のリブ群を格子状の壁部に対して位置決めすることができるので、弾性仕切り膜（リブ群）と格子状の壁部との相対的な位置関係を一定とすることができる。よって、格子状の壁部に対するリブ群の接触状態を安定化して、その分、減衰特性などの動的な特性のばらつきを抑制することができるという効果がある。
【００２２】
更に、従来の液封入式防振装置のように、減衰特性等の動的な特性のばらつきを抑制するべく、弾性仕切り膜に突設するリブの数を増加させる必要がないので、その分、弾性仕切り膜全体としての膜剛性が上昇することを抑制することができうる。よって、主及び副液室間の液圧差を往復動変位によって効果的に緩和させることができ、その結果、十分な低動ばね特性を得ることができるという効果がある。
【００２３】
請求項２記載の液封入式防振装置によれば、請求項１記載の液封入式防振装置の奏する効果に加え、突起部は、弾性仕切り膜の軸心を含む中心部から突起されているので、この突起部を受入部に係合した場合、弾性仕切り膜の変位が拘束されるのはその中心部のみである。よって、小振幅入力時には、中心部を除く非拘束部によって、弾性仕切り膜の往復動変位を十分に確保して、液圧差を効果的に緩和することができる。その結果、弾性仕切り膜の位置決め効果により、動的な特性のばらつきを抑制しつつも、膜剛性が上昇することを抑制して、十分な低動ばね特性を得ることができるという効果がある。
【００２４】
請求項３記載の液封入式防振装置によれば、請求項１又は２に記載の液封入式防振装置の奏する効果に加え、一対の格子状の壁部は、筒状部材および仕切り膜変位規制部材のそれぞれに一体に形成されているので、これら格子状の壁部を筒状部材等とは別部材に構成する場合と比較すると、筒状部材等に対する格子状の壁部の位置関係（例えば、筒状部材の軸心に対する直角度）をより正確に設定することができる。更に、一対の格子状の壁部の対向面間隔も正確に設定できるので、弾性仕切り膜と格子状の壁部との隙間もより正確に設定することができる。その結果、動的な特性のばらつきのより一層の低減を図ることができるという効果がある。
【００２５】
また、筒状部材および仕切り膜変位規制部材を格子状の壁部とそれぞれ一体に形成したので、突起部を受入部に係合することで、上述のように弾性仕切り膜を格子状の壁部に対して位置決めすることができるだけでなく、その格子状の壁部を介して、筒状部材と仕切り膜変位規制部材とを位置決めしつつ、これら両部材の回転方向の固定を行うこともできるという効果がある。
【００２６】
その結果、従来の液封入式防振装置では、筒状部材と仕切り膜変位規制部材とを圧入することで、両部材の周方向の固定を行っていたところ、本発明では、仕切り膜変位規制部材を防振基体と筒状部材との間に挟持固定するだけで良いので、圧入部を加工する加工コストや圧入作業に要する作業コストの低減を図ることができ、その分、液封入式防振装置全体としての製品コストの低減を図ることができるという効果がある。
【００２７】
また、この場合、筒状部材に対して仕切り膜変位規制部材の回転方向位置が相対的に位置決めされるので、オリフィス流路の一方の出入口を他方の出入口に対して位置決めして、オリフィスの流路長さのばらつきを抑制することができるので、その分、動的な特性のばらつきを抑制することができるという効果もある。
【００２８】
請求項４記載の液封入式防振装置によれば、請求項３記載の液封入式防振装置の奏する効果に加え、突起部は、弾性仕切り膜の軸心に対して回転対称となる多角形の断面形状を有して構成されると共に、受入部は、突起部の断面形状に対応して、筒状部材および仕切り膜変位規制部材の軸心に対して回転対称となる多角形の内周形状を有し、突起部を複数の回転方向位置で受け入れ可能に構成されている。
【００２９】
よって、突起部を受入部に受け入れさせる場合には、その突起部の回転方向位置を変更することで、筒状部材（オリフィス流路の一方の出入口）に対する仕切り膜変位規制部材（オリフィス流路の他方の出入口）の回転方向位置を変更して、オリフィスの流路長さを複数種類に調整することができる。その結果、流路長さの異なる複数種類の液封入式防振装置を製造する場合には、仕切り手段（筒状部材や仕切り膜変位規制部材など）を流用することができるので、その分、部品コストの低減を図ることができるという効果がある。
【００３０】
請求項５記載の液封入式防振装置によれば、請求項４記載の液封入式防振装置の奏する効果に加え、突起部は、その多角形状の頂部が放射状リブの延設方向に一致するように配設されているので、かかる突起部の頂部が弾性仕切り膜の膜面部（即ち、放射状リブが設けられていない部位）へ突出する突出量を最小限に抑制することができる。即ち、弾性仕切り膜に突起部を突起させた場合でも、かかる突起部によって弾性仕切り膜の膜面部の面積が減少されることを抑制して、膜面部の面積を確保することができるので、弾性仕切り膜全体としての膜剛性の上昇を抑制して、低動ばね特性を得ることができるという効果がある。
【００３１】
請求項６記載の液封入式防振装置によれば、請求項３記載の液封入式防振装置の奏する効果に加え、突起部は、弾性仕切り膜の軸心に対して回転方向に非対称の断面形状を有して構成されると共に、受入部は、突起部の断面形状に対応して、筒状部材および仕切り膜変位規制部材の軸心に対して回転方向に非対称の内周形状を有し、突起部を１の回転方向位置でのみ受け入れ可能に構成されている。
【００３２】
よって、仕切り手段を組み立てる場合には、突起部を受入部と係合させることで、弾性仕切り膜のリブ群を格子状の壁部に対して位置決めすることができるだけでなく、筒状部材（オリフィス流路の一方の出入口）に対する仕切り膜変位規制部材（オリフィス流路の他方の出入口）の回転方向位置を１の回転方向位置に位置決めすることができるので、組み立て作業ミスなどに起因して、間違ったオリフィスの流路長さが設定されることを確実に回避することができるという効果がある。
【００３３】
請求項７記載の液封入式防振装置によれば、請求項１から６のいずれかに記載の液封入式防振装置の奏する効果に加え、突起部およびリブ群は、弾性仕切り膜の表裏両面に同じパターンで形成されており、その弾性仕切り膜が表裏の方向性を有さないように構成されている。よって、仕切り手段の組み立て工程において、弾性仕切り膜を仕切り手段に組み込む場合には、かかる弾性仕切り膜の表裏を識別する必要がないので、組み込み作業を簡素化して、その分、作業コストの低減を図ることができるという効果がある。
【００３４】
請求項８記載の液封入式防振装置によれば、請求項３から７のいずれかに記載の液封入式防振装置の奏する効果に加え、格子状の壁部およびオリフィス流路の出入口は、仕切り膜変位規制部材の表裏両面に同じパターンで形成されており、その仕切り膜変位規制部材が表裏の方向性を有さないように構成されている。よって、仕切り手段の組み立て工程において、弾性仕切り膜を仕切り手段に組み込む場合には、仕切り膜変位規制部材の表裏を識別する必要がないので、その作業を簡素化して、その分、作業コストの低減を図ることができるという効果がある。 
【発明を実施するための最良の形態】
【００３５】
以下、本発明の好ましい実施例について、添付図面を参照して説明する。図１は、本発明の第１実施例における液封入式防振装置１００の断面図である。
【００３６】
この液封入式防振装置１００は、自動車のエンジンを支持固定しつつ、そのエンジン振動を車体フレームへ伝達させないようにするための防振装置であり、図１に示すように、エンジン側に取り付けられる第１取付け金具１と、筒状の第２取付け金具２と、これら両金具１，２を連結すると共にゴム状弾性材から構成される防振基体３とを主に備えて構成されている。
【００３７】
第１取付け金具１は、図１に示すように、アルミニウム合金から略円柱状に構成され、その上端面（図１上側面）には、めねじ部１１が下方（図１下方）へ向けて凹設されている。また、第１取付け金具１の長手方向（図１上下方向）の略中間部には、フランジ状の被ストッパ部１２が径方向に張り出して形成されている。
【００３８】
第２取付け金具２は、図１に示すように、鉄鋼材料から上下端（図１上側及び下側）が開口した筒状に構成されている。なお、第２取付け金具２は、段差を有して構成されており、その段差の上側（図１上側）が大径筒部２ａとされ、段差の下側（図１下側）が小径筒部２ｂとされている。
【００３９】
防振基体３は、ゴム状弾性材から断面略円錐台形状に形成され、第１取付け金具１の下端側（図１下側）と第２取付け金具２の上端（図１上側）内周部との間に加硫接着されている。
【００４０】
図１に示すように、防振基体３の上端部（図１上側）には、上記した第１取付け金具１の被ストッパ部１２を覆うストッパゴム部３１が連なっており、このストッパゴム部３１が後述するストッパ金具４に当接することで、大変位時のストッパ作用が得られるように構成されている。
【００４１】
一方、防振基体３の下端部（図１下側）には、第２取付け金具２の内周面を覆うゴム膜３２が連なっており、このゴム膜３２には、後述するオリフィス金具９のオリフィス形成壁９１、プレート金具１０、及び、ダイヤフラム５の取付け金具５１がそれぞれ密着されている。
【００４２】
第２取付け金具２の上端部（大径筒部２ａ）には、図１に示すように、ストッパ金具４が外嵌圧入されている。ストッパ金具４は、上記したように、ストッパゴム部３１の変位を規制して、ストッパ作用を得るための部材であり、鉄鋼材料からカップ状に構成されている。
【００４３】
なお、ストッパ金具４の側面には、液抜き孔４１が穿設されている。この液抜き孔４１は、ストッパ金具４の内周側空間に貯留された液体を排出するための排出孔であり、第２取付け金具２の上側（図１上側）端縁部と略一致する高さに開口されている。液封入式防振装置１００の組み立て工程や走行時などにおいて、ストッパ金具４の内周側空間に液体等が貯留された場合には、その液体等が液抜き孔４１を介して外部へ排出される。
【００４４】
ダイヤフラム５は、図１に示すように、ゴム状弾性材から部分球状を有するゴム膜状に構成されるものであり、第２取付け金具２（小径筒部２ｂ）の下端部（図１下側）に取着されている。その結果、このダイヤフラム５の上面側と防振基体３の下面側との間には、液体封入室６が形成されている。
【００４５】
この液体封入室６には、エチレングリコールなどの不凍性の液体（図示せず）が封入されている。また、液体封入室６は、図１に示すように、後述する仕切り体７によって、防振基体３側（図１上側）の主液室６Ａと、ダイヤフラム５側（図１下側）の副液室６Ｂとの２室に仕切られている。
【００４６】
なお、ダイヤフラム５は、上面視ドーナツ状の取付け金具５１に加硫接着されており、図１に示すように、その取付け金具５１を介して、第２取付け金具２の下端部（図１下側）に取着されている。
【００４７】
仕切り体７は、図１に示すように、ゴム状弾性材から略円板状に構成される弾性仕切り膜８と、この弾性仕切り膜８を収容して内周面側の格子状の壁部９４で受け止めるオリフィス金具９と、このオリフィス金具９の軸方向一端側（図１上側）に同心状に重合される円板状のプレート金具１０とを備えて構成されている。
【００４８】
その結果、比較的小さな振幅が入力される場合には、弾性仕切り膜８が往復動変位することで、液体封入室６（主及び副液室６Ａ，６Ｂ）間の液圧差を緩和して、低動ばね特性を得ることができる。一方、比較的大きな振幅が入力される場合には、弾性仕切り膜８の変位をオリフィス金具９及びプレート金具１０で規制することにより、膜剛性を高めて、減衰特性の向上を図ることができる。
【００４９】
ここで、仕切り体７には、後述するように、弾性仕切り膜８を位置決めするための位置決め手段が設けられており、この位置決め手段によって、弾性仕切り膜８とオリフィス金具９及びプレート金具１０との当たり方（接触位置や接触面積）を一定とすることができる。よって、動的な特性のばらつきを低減することができる。なお、かかる位置決め手段の詳細構成については、後述する。
【００５０】
オリフィス金具９の外周面側と第２取付け金具２の内周面側（ゴム膜３２）との間には、図１に示すように、オリフィス２０が形成されている。このオリフィス２０は、主液室６Ａと副液室６Ｂとを連通させるオリフィス流路である。オリフィス２０は、プレート金具１０の切欠き部１０１（図４参照）を介して、主液室６Ａに連通され、オリフィス金具９の貫通孔９３（図３参照）を介して、副液室６Ｂに連通されている。
【００５１】
なお、オリフィス金具９は、図１に示すように、その上端部（図１上側）の外径寸法がプレート金具１０の外径寸法よりも小径とされており、その結果、プレート金具１０は、オリフィス金具９の上端部から半径方向へ張り出す張出部として、オリフィス２０のオリフィス形成壁を兼用している。
【００５２】
ここで、液封入式防振装置１００の組み立ては、まず、第２取付け金具２の下端側（図１下側）開口部から仕切り体７及びダイヤフラム５を順に嵌め込み、次いで、第２取付け金具２（小径筒部２ａ）の下端部（図１下側）を縮径加工（かしめ加工）することにより行われる。
【００５３】
その結果、仕切り体７は、図１に示すように、防振基体３に設けた仕切り体受け部３３とダイヤフラム５とによって、液封入式防振装置１００の軸芯方向（図１上下方向）に挟持固定される。なお、仕切り体受け部３３は、防振基体３の下面側の複数箇所に段部として形成されており、その段部によって仕切り体７の上端面（図１上側面）を受け止めている。
【００５４】
ここで、この組み立て状態においては、仕切り体受け部３３が圧縮変形されており、この仕切り体受け部３３の弾性復元力が仕切り体７の保持力としてその仕切り体７の上端面に作用されている。これにより、大振幅や高周波数の振幅が入力された場合などでも、仕切り体７を強固かつ安定的に挟持固定して、各部材の位置ずれや共振などに起因する動的な特性への影響を回避することができる。
【００５５】
次に、図２及び図３を参照して、オリフィス金具９について説明する。図２（ａ）は、オリフィス金具９の上面図であり、図２（ｂ）は、図２（ａ）のＩＩｂ−ＩＩｂ線におけるオリフィス金具９の断面図である。また、図３は、図２（ａ）の矢印Ａ方向から見たオリフィス金具９の側面図である。
【００５６】
オリフィス金具９は、図２及び図３に示すように、アルミニウム合金から軸芯Ｏを有する略円筒状に形成されている。オリフィス金具９の軸方向下端（図２（ｂ）及び図３下側）には、略フランジ状のオリフィス形成壁９１が径方向に張り出して形成されている。このオリフィス形成壁９１とプレート金具１０との対向面間に上述したオリフィス２０が形成される（図１参照）。
【００５７】
また、オリフィス金具９の周方向１カ所には、図２及び図３に示すように、そのオリフィス金具９の軸心Ｏ方向（図２（ｂ）及び図３上下方向）に沿って延びる縦壁９２が径方向に張り出して形成されている。この縦壁９２によって、オリフィス２０（図１参照）が周方向に区画される。なお、縦壁９２の張り出し寸法は、オリフィス形成壁９１と略同等とされている。
【００５８】
オリフィス金具９の外周面であって、縦壁９２の側方には、図２及び図３に示すように、貫通孔９３がオリフィス金具９の胴部を貫通して形成されている。この貫通孔９３は、オリフィス出入口として機能する開口部であり、上述したように、オリフィス２０は、この貫通孔９３を介して、副液室６Ｂに連通される（図１及び図６参照）。
【００５９】
オリフィス金具９の内周側には、図２に示すように、格子状の壁部９４が一体に形成されている。この格子状の壁部９４は、複数（本実施の形態では６個）の開口部９４ａと、それら各開口部９４ａ間に略直線状に形成される複数本（本実施の形態では６本）の変位規制リブ９４ｂと、これら開口部９４ａ及び変位規制リブ９４ｂの外周部に略円環状に形成される周縁壁９４ｃとを備えて構成されている。
【００６０】
開口部９４ａは、液体封入室６内の液圧変動を弾性仕切り膜８へ伝達すると共に（図１参照）、その液圧変動により変位する弾性仕切り膜８との衝突を回避するための逃げ部として設けられた開口であり、円を径方向に等分割（本実施例では、６等分）した形状に開口されている。
【００６１】
変位規制リブ９４ｂは、弾性仕切り膜８の後述する変位規制突起８１（図５参照）に当接して、弾性仕切り膜８の変位を拘束するためのリブであり、図２に示すように、オリフィス金具９の軸芯Ｏに対して放射直線状に形成されている。
【００６２】
なお、周縁壁９４ｃも、変位規制リブ９４ｂと同様に、弾性仕切り膜８の変位を規制する変位規制部としての機能を有する。また、各変位規制リブ９４ｂは、周方向略等間隔（６０度間隔）に配置され、各変位規制リブ９４ｂのリブ幅およびリブ厚みはそれぞれ略同一である。
【００６３】
格子状の壁部９４の中心部、即ち、各変位規制リブ９４ｂの交差部には、図２に示すように、受入穴９５が板厚方向（軸心Ｏ方向）に貫通形成されている。この受入穴９５は、弾性仕切り膜８の後述する位置決め突起８５（図５参照）を受け入れて係合するための開口部であり、その位置決め突起８５の断面形状に対応して、軸心Ｏに対して回転対称となる略正三角形の内周形状を有して構成されている。
【００６４】
なお、回転対称とは、１の図形を一定軸のまわりに一定の角度だけ回転移動しても変わらない性質をいう。本実施例では、受入穴９５の内周形状が軸心Ｏ（一定軸）の回りに略１２０度（一定の角度）だけ回転した場合に、その回転後の受入穴９５の内周形状が軸方向視において回転前の受入穴９５の内周形状と一致することをいう。
【００６５】
この定義は、請求項４に記載した「回転対称」なる用語を説明するものであり、また、以下（プレート金具１０の受入穴１０５及び弾性仕切り膜８の位置決め突起８５）の説明においても同様であり、その説明は省略する。
【００６６】
ここで、格子状の壁部９４は、オリフィス金具９に一体に形成されているので、格子状の壁部９４をオリフィス金具９とは別部材に構成する場合と比較すると、オリフィス金具９に対する格子状の壁部９４の位置関係（例えば、オリフィス金具９の軸心Ｏに対する直角度など）をより正確に設定することができる。
【００６７】
また、後述するように、プレート金具１０にも格子状の壁部１０４が一体に形成されているので（図４参照）、仕切り体７の組み立て状態においては、それら一対の格子状の壁部９４，１０４の対向面間隔も正確に設定できる（図６参照）。その結果、弾性仕切り膜８と格子状の壁部９４，１０４との間の隙間もより正確に設定することができ、動的な特性のばらつきをより一層低減することができる。
【００６８】
次に、図４を参照して、プレート金具１０について説明する。図４（ａ）は、プレート金具１０の上面図であり、図４（ｂ）は、図４（ａ）のＩＶｂ−ＩＶｂ線におけるプレート金具１０の断面図である。
【００６９】
プレート金具１０は、上述したように、弾性仕切り膜８の変位を規制すると共に、オリフィス２０を形成するための部材であり（図１参照）、図４に示すように、軸芯Ｐを有する略円板状に形成されている。
【００７０】
プレート金具１０の周縁部には、図４（ａ）に示すように、上面視略コ字状の切欠き部１０１が切欠き形成されている。この切欠き部１０１は、オリフィス出入口として機能する開口部であり、上述したように、オリフィス２０は、この切欠き部１０１を介して、主液室６Ａに連通される（図１及び図６参照）。
【００７１】
また、プレート金具１０には、図４に示すように、格子状の壁部１０４が一体に形成されている。この格子状の壁部１０４は、複数（本実施の形態では６個）の開口部１０４ａと、それら各開口部１０４ａ間に略直線状に形成される複数本（本実施の形態では６本）の変位規制リブ１０４ｂと、これら開口部１０４ａ及び変位規制リブ１０４ｂの外周部に略円環状に形成される周縁壁１０４ｃとを備えて構成されている。
【００７２】
更に、格子状の壁部１０４の中心部、即ち、各変位規制リブ１０４ｂの交差部には、図４に示すように、受入穴１０５が板厚方向（軸心Ｐ方向）に貫通形成されている。この受入穴１０５は、軸心Ｐに対して回転対称となる略正三角形の内周形状を有して構成されている。
【００７３】
ここで、格子状の壁部１０４及び切欠き部１０１は、図４に示すように、プレート金具１０の表裏両面に同じパターンで形成されており、プレート金具１０は、表裏の方向性を有さないように構成されている。よって、仕切り体７の組み立て工程において、プレート金具１０をオリフィス金具９（弾性仕切り膜８の位置決め突起８５）に組み付ける場合には（図６参照）、かかるプレート金具１０の表裏を識別する必要がないので、その組み付け作業を簡素化して、その分、作業コストの低減を図ることができる。
【００７４】
また、これら格子状の壁部１０４（開口部１０４ａ、変位規制リブ１０４ｂ及び周縁壁１０４ｃ）及び受入穴１０５は、上述したオリフィス金具９の格子状の壁部９４（開口部９４ａ、変位規制リブ９４ｂ及び周縁壁９４ｃ）及び受入穴９５と同一のパターンで（即ち、各部位の大きさや位置関係などが全て同一に）構成されている。
【００７５】
このように、格子状の壁部９４，１０４及び受入穴９５，１０５をオリフィス金具９とプレート金具１０とで同一のパターンとすることで、仕切り体７の組み立て工程において、弾性仕切り膜８を組み込む際には（図６参照）、その弾性仕切り膜８の表裏の識別を不要とすることができるので、組み込み作業を簡素化して、その分、作業コストの低減を図ることができる。
【００７６】
次いで、図５を参照して、弾性仕切り膜８について説明する。図５（ａ）は、弾性仕切り膜８の上面図であり、図５（ｂ）は、図５（ａ）のＶｂ−Ｖｂ線における弾性仕切り膜８の断面図である。
【００７７】
弾性仕切り膜８は、図５に示すように、ゴム状弾性材から軸心Ｑを有する略円板状に構成されるゴム膜であり、上述したように、仕切り体７内（一対の格子状の壁部９４，１０４の対向面間）に収容され（図１又は図６参照）、主及び副液室６Ａ，６Ｂ間の液圧差を緩和する作用を奏するものである。この弾性仕切り膜８の表裏両面（図５（ａ）紙面手前側面および紙面奥側面）には、変位規制突起８１が突設されている。
【００７８】
変位規制突起８１は、オリフィス金具９及びプレート金具１０の格子状の壁部９４，１０４に当接されるリブ状突起であり、そのリブ状突起の頂部を格子状の壁部９４，１０４の変位規制リブ９４ｂ，１０４ｂ及び周縁壁９４ｃ，１０４ｃに当接可能な位置に配設されている（図２から図４参照）。
【００７９】
具体的には、変位規制突起８１は、図５に示すように、弾性仕切り膜８の軸芯Ｑに対して放射直線状に配置される複数本（本実施の形態では６本）の放射状突起８１ａと、弾性仕切り膜８の周縁部に沿って（即ち、軸心Ｑを中心として）円環状に配置される円環状突起８１ｂとを備え、これら両突起８１ａ，８１ｂは、互いに略同一の突起高さに構成されている。
【００８０】
放射状突起８１ａは、図５（ａ）に示すように、周方向略等間隔（６０度間隔）に配置され、格子状の壁部９４，１０４の変位規制リブ９４ｂ，１０４ｂ（図２から図４参照）に当接可能な配置とされている。また、円環状突起８１ｂは、軸心Ｑに同心の円環状に配置され、格子状の壁部９４，１０４の周縁壁９４ｃ，１０４ｃに当接可能な配置とされている。
【００８１】
なお、このように、放射状突起８１ａ及び円環状突起８１ｂは、周方向等間隔および同心状に配置されているので、後述するように弾性仕切り膜８が略１２０度だけ回転された場合でも（図６及び図７参照）、格子状の壁部９４，１０４の変位規制リブ９４ｂ，１０４ｂ及び周縁壁９４ｃ，１０４ｃとそれぞれ当接可能に構成されている。
【００８２】
弾性仕切り膜８の軸心Ｑを含む略中心部には、図５（ｂ）に示すように、その弾性仕切り膜８の表裏両面から一対の位置決め突起８５が突起されており、この位置決め突起８５は、弾性仕切り膜８の軸心Ｑに対して回転対称となる略正三角形の断面形状を有して構成されている。この断面形状は、上述した格子状の壁部９４，１０４の受入穴９５，１０５（図２から図４参照）の内周形状に略一致する。
【００８３】
よって、仕切り体７（図１又は図６参照）を組み立てる場合には、弾性仕切り膜８の位置決め突起８５が格子状の壁部９４，１０４の受入穴９５，１０５（図２から図４参照）と係合することで、弾性仕切り膜８（変位規制突起突起８１）を格子状の壁部９４，１０４（変位規制リブ９４ｂ，１０４ｂ、周縁壁９４ｃ，１０４ｃ）に対して確実に位置決めすることができる。
【００８４】
ここで、従来の液封入式防振装置では、弾性仕切り膜が周方向や径方向などに位置ずれして、格子状の壁部との接触状態が変化することで、動的な特性にばらつきが発生するという問題点があった。一方、弾性仕切り膜が位置ずれしても、格子状の壁部との接触状態の変化が少なくなるように、多数の変位規制突起を設けた場合には、その分、弾性膜全体としての膜剛性が上昇して、低動ばね特性が得られないという問題点があった。
【００８５】
これに対して、本実施例の液封入式防振装置１００によれば、変位規制突起８１を格子状の壁部９４，１０４に対して位置決めすることができるので、かかる変位規制突起８１の形成本数（配設面積）を最小として、その分、弾性仕切り膜８全体としての膜剛性が上昇することを抑制することができる。よって、液体封入室６間の液圧差を往復動変位によって効果的に緩和して、十分な低動ばね特性を得ることができる。
【００８６】
位置決め突起８５の基部には、図５に示すように、挟持部８６が形成されている。この挟持部８６は、図５（ａ）に示す上面視において、位置決め突起８５よりも若干大きな略正三角形状に形成され、挟持部８６の高さは、図５（ｂ）に示すように、変位規制突起８１（放射状突起８１ａ及び円環状突起８１ｂ）の突起高さよりも高くされている。
【００８７】
その結果、仕切り体７の組み立て状態においては（図６参照）、挟持部８６の頂部が変位規制リブ９４ｂ，１０４ｂ間に圧縮された状態で挟持される。一方、各変位規制突起８１（放射状突起８１ａ及び円環状突起８１ｂ）の頂部と変位規制リブ９４ｂ，１０４ｂとの間には、若干の隙間が形成される（図６参照）。また、弾性仕切り膜８の外周面とオリフィス金具９の内周面との間にも若干の隙間が形成される（図６参照）。
【００８８】
よって、微振幅入力時には、その隙間を介して、液体封入室６内の液体を主液室６Ａから副液室６Ｂ（又は、その逆）へリーク（漏出）させることができ（図１参照）、このリークにより、微振幅入力時の低動ばね化を図ることができる。
【００８９】
ここで、位置決め突起８５（及び、挟持部８６）は、図５（ａ）に示すように、断面正三角形の各頂部が放射状突起８１ａの延設方向に一致するように配設されているので、かかる各頂部が弾性仕切り膜８の膜面部（即ち、放射状突起８１ａが設けられていない部位）へ突出する突出量を最小限に抑制することができる。
【００９０】
即ち、弾性仕切り膜８に位置決め突起８５を突起させた場合でも、かかる位置決め突起８５の配設により弾性仕切り膜８の膜面部の面積が減少されることを最小に抑制して、膜面部の面積を確保することができる。よって、弾性仕切り膜８全体としての膜剛性の上昇を回避して、低動ばね特性を得ることができる。
【００９１】
また、位置決め突起８５は、弾性仕切り膜８の軸心Ｑを含む中心部から突起されているので、仕切り体７の組み立て状態においては（図６参照）、弾性仕切り膜８の中心部のみの変位が拘束される。よって、比較的小振幅の入力時には、中心部を除く非拘束部によって、弾性仕切り膜８全体を効率的に往復動変位させることができ、液圧差を効果的に緩和することができる。その結果、弾性仕切り膜８を位置決めして、動的な特性のばらつきを抑制しつつも、十分な低動ばね特性を得ることができる。
【００９２】
なお、変位規制突起８１、位置決め突起８５及び挟持部８６は、図５に示すように、弾性仕切り膜８の表裏両面（図５紙面手前側面及び紙面奥側面）に同じパターンで形成されており、その弾性仕切り膜８が表裏の方向性を有さないように構成されている。よって、仕切り体７の組み立て工程において、弾性仕切り膜８をオリフィス金具９等に組み込む場合には（図６参照）、かかる弾性仕切り膜８の表裏を識別する必要がないので、組み込み作業を簡素化して、その分、作業コストの低減を図ることができる。
【００９３】
次いで、図６を参照して、仕切り体７について説明する。図６（ａ）は、仕切り体７の上面図であり、図６（ｂ）は、図６（ａ）のＶＩｂ−ＶＩｂ線における仕切り体７の断面図である。なお、図６（ａ）では、仕切り体７の軸心回りに略１周弱の長さで形成されるオリフィス流路Ｃ１が２点鎖線を用いて模式的に図示されている。
【００９４】
上述したように、本実施例における液封入式防振装置１００によれば、弾性仕切り膜８の表裏両面には、位置決め突起８５が突起されると共に、オリフィス金具９及びプレート金具１０の格子状の壁部９４，１０４には、位置決め突起８５を受け入れて係合する受入穴９５，１０５が開口されている。
【００９５】
よって、仕切り７を組み立てる場合には、図６に示すように、位置決め突起８５を受入穴９５，１０５に挿入することで、弾性仕切り膜８の変位規制突起８１（放射状突起８１ａ及び円環状突起８１ｂ）を格子状の壁部９４，１０４（変位規制リブ９４ｂ，１０４ｂ及び周縁壁９４ｃ，１０４ｃ）に容易に位置決めすることができる。その結果、組み立て作業を簡素化して、その作業コストを低減することができるので、その分、液封入式防振装置１００全体としての製品コストを低減することができる。
【００９６】
また、このように、位置決め突起８５と受入穴９５，１０５との係合により、弾性仕切り膜８の変位規制突起８１（放射状突起８１ａ及び円環状突起８１ｂ）を格子状の壁部９４，１０４（変位規制リブ９４ｂ，１０４ｂ及び周縁壁９４ｃ，１０４ｃ）に対して位置決めすることで、変位規制突起８１と格子状の壁部９４，１０４との相対的な位置関係を一定として、その接触状態（接触面積や接触位置）を安定化する、即ち、接触状態のばらつきを抑制することができる。
【００９７】
その結果、比較的小振幅の入力時には、弾性仕切り膜８の往復動変位の状態を一定化して、液体封入室６内の液圧差を安定的に緩和することで、動ばね定数などの動的な特性のばらつきを抑制することができ、また、比較的大振幅の入力時には、弾性仕切り膜８の変位規制の状態を一定化して、その膜剛性を安定的に上昇させることで、減衰特性などの動的な特性のばらつきを抑制することができる。
【００９８】
また、オリフィス金具９及びプレート金具１０には、図６に示すように、格子状の壁部９４，１０４が一体に形成されているので、位置決め突起８５を受入穴９５，１０５に係合した場合には、上述のように弾性仕切り膜８を格子状の壁部９４，１０４に対して位置決めすることができるだけでなく、その格子状の壁部９４，１０４を介して、オリフィス金具９に対するプレート金具１０の位置決めを行うことができると共に、その位置決めされた状態において、これら両部材９，１０を回転方向に固定することもできる。
【００９９】
その結果、従来の液封入式防振装置では、オリフィス金具相当部材に対してプレート金具相当部材を圧入することで、両部材の回転方向の固定を行っていたところ、本発明では、プレート金具１０をオリフィス金具９へ圧入固定する必要がなく、防振基体３とオリフィス金具９との間に挟持固定するだけで良いので（図１参照）、圧入部を加工する加工コストや圧入作業に要する作業コストの低減を図ることができ、その分、液封入式防振装置１００全体としての製品コストの低減を図ることができる。
【０１００】
また、このように、オリフィス金具９に対してプレート金具１０の相対的な回転方向位置を位置決めすることができれば、オリフィス流路の一方の出入口（オリフィス金具９の貫通孔９３又はプレート金具１０の切欠き部１０１）を他方の出入口（プレート金具１０の切欠き部１０１又はオリフィス金具９の貫通孔９３）に対して位置決めして、オリフィス流路Ｃ１の長さばらつきを抑制することができるので、その分、動的な特性のばらつきを抑制することができる。
【０１０１】
次いで、図７を参照して、オリフィスの流路長さを変更する方法について説明する。図７（ａ）及び図７（ｂ）は、仕切り体７の上面図である。
【０１０２】
なお、なお、図７（ａ）及び図７（ｂ）では、仕切り体７の軸心回りに略２／３周弱および略１／３周弱の長さで形成されるオリフィス流路Ｃ２，Ｃ３がそれぞれ２点鎖線を用いて模式的に図示されている。
【０１０３】
上述したように、本実施例における液封入式防振装置１００によれば、弾性仕切り膜８の位置決め突起８５は、その弾性仕切り膜８の軸心Ｑに対して回転対称となる略正三角形の断面形状を有し、受入穴９５，１０５は、位置決め突起８５の断面形状に対応して、オリフィス金具９及びプレート金具１０の軸心Ｏ，Ｐに対してそれぞれ回転対称となる略正三角形の内周形状を有する。そのため、受入穴９５，１０５は、位置決め突起８５を３通りの回転方向位置で受け入れ可能に構成されている。
【０１０４】
よって、仕切り体７を組み立てる場合には、プレート金具１０の回転方向位置を変更することで、そのプレート金具１０の受入穴１０５と位置決め突起８５との係合位置を調整して、オリフィス金具９（貫通孔９３）に対するプレート金具１０（切欠き部１０１）の回転方向位置、即ち、オリフィスの流路長さを複数種類に設定することができる。
【０１０５】
例えば、プレート金具１０の回転方向位置を第１の位置に設定した場合には、上述したように、オリフィス流路Ｃ１の長さが仕切り体７の軸心回りに略１周弱とされたのに対し（図６（ａ）参照）、プレート金具１０の回転方向位置を第２又は第３の位置に設定した場合には、図７（ａ）又は図７（ｂ）に示すように、オリフィス流路Ｃ２，Ｃ３の長さを仕切り体７の軸心回りに略２／３周弱または略１／３周弱とすることができる。
【０１０６】
その結果、オリフィス流路の長さが異なる複数種類の液封入式防振装置１００を製造する場合には、仕切り７（弾性仕切り膜８、オリフィス金具９及びプレート金具１０の一部又は全部）を流用して、部品コストの低減を図ることができるので、その分、液封入式防振装置１００全体としての製品コストの低減を図ることができる。
【０１０７】
次いで、図８を参照して、第２実施例について説明する。第１実施例では、位置決め突起８５（受入穴９５，１０５）が略正三角形の断面形状（内周形状）を有して構成されたが、第２実施例では、突起部１８５（受入穴２０５）が略正六角形の断面形状（内周形状）を有して構成されている。なお、上記した第１実施例と同一の部分には同一の符号を付して、その説明は省略する。
【０１０８】
図８（ａ）及び図８（ｂ）は、第２実施例におけるプレート金具１０及び弾性仕切り膜８の上面図である。
【０１０９】
プレート金具１０の格子状の壁部１０４の中心部、即ち、各変位規制リブ１０４ｂの交差部には、図８（ａ）に示すように、受入穴２０５が板厚方向（図８紙面垂直方向）に貫通形成されている。この受入穴２０５は、プレート金具１０の軸心Ｐに対して回転対称となる略正六角形の内周形状を有して構成されている。
【０１１０】
一方、弾性仕切り膜８の軸心Ｑを含む略中心部には、図８（ｂ）に示すように、位置決め突起２８５が突起されている。この位置決め突起２８５は、受入穴２０５の内周形状に対応して、その弾性仕切り膜８の軸心Ｑに対して回転対称となる略正六角形の断面形状を有して構成されている。
【０１１１】
その結果、第２実施例では、受入穴２０５が位置決め突起２８５を６通りの回転方向位置で受け入れ可能に構成されている。よって、オリフィス流路の長さが異なる複数種類の液封入式防振装置１００を製造する場合には、上述した第一実施例の場合と比較して、オリフィス流路の長さを要求特性等に応じてより詳細に設定することができる。
【０１１２】
次いで、図９を参照して、第３実施例について説明する。第１実施例では、受入穴９５，１０５が位置決め突起２８５を複数の回転方向位置で受け入れ可能に構成されたが、第３実施例では、受入穴３０５が位置決め突起３８５を１の回転方向位置でのみ受け入れ可能に構成されている。なお、上記した第１実施例と同一の部分には同一の符号を付して、その説明は省略する。
【０１１３】
図９（ａ）及び図９（ｂ）は、第３実施例におけるプレート金具１０及び弾性仕切り膜８の上面図である。
【０１１４】
プレート金具１０の格子状の壁部１０４の中心部、即ち、各変位規制リブ１０４ｂの交差部には、図９（ａ）に示すように、受入穴３０５が板厚方向（図９紙面垂直方向）に貫通形成されている。この受入穴３０５は、プレート金具１０の軸心Ｐに対して回転方向に非対称となる内周形状を有して構成されている。
【０１１５】
一方、弾性仕切り膜８の軸心Ｑを含む略中心部には、図９（ｂ）に示すように、位置決め突起３８５が突起されている。この位置決め突起３８５は、受入穴３０５の内周形状に対応して、その弾性仕切り膜８の軸心Ｑに対して回転方向に非対称となる断面形状を有して構成されている。
【０１１６】
ここで、軸心Ｑに対して回転方向に非対称とは、１の図形を一定軸のまわりに一定の角度（最大３６０度）だけ回転移動しても、その回転後の図形と回転前の図形とが一致しない性質をいう。例えば、本実施例では、受入穴３０５を軸心Ｏ（一定軸）の回りに回転（最大３６０度）させても、その回転後の受入穴３０５の内周形状が軸方向視において回転前の受入穴３０５の内周形状と一致しないことをいう。位置決め突起３８５についても同様であるので、その説明は省略する。
【０１１７】
なお、第３実施例では、位置決め突起３８５（受入穴３０５）の断面形状（内周形状）は、図９に示すように、正面視略円形の一部を直線で接続した略半円形状で構成されることで、軸心Ｑ（軸心Ｐ）に対して回転方向に非対称の形状とされている。その結果、受入穴３０５は、位置決め突起３８５を１の回転方向位置でのみ受け入れ可能に構成されている。
【０１１８】
よって、仕切り体７（図６参照）を組み立てる場合には、位置決め突起３８５を受入穴３０５と係合させることで、弾性仕切り膜８の変位規制突起８１を格子状の壁部９４，１０４に対して位置決めすることができるだけでなく、オリフィス金具９（オリフィス流路の一方の出入口となる貫通孔９３）に対するプレート金具１０（オリフィス流路の他方の出入口となる切欠き部１０１）の回転方向位置を１の回転方向位置にのみ位置決めすることができるので、組み立て作業ミスなどに起因して、オリフィス流路が間違った流路長さに設定されることを確実に回避することができる。
【０１１９】
以上、実施例に基づき本発明を説明したが、本発明は上記実施例に何ら限定される物ではなく、本発明の趣旨を逸脱しない範囲内で種々の改良変形が可能であることは容易に推察できるものである。
【０１２０】
例えば、上記各実施例では、弾性仕切り膜８の表裏両面が同一のパターンで形成される場合を説明したが、必ずしもこれに限られるわけではなく、表面側と裏面側とを異なるパターンで形成することは当然に可能である。
【０１２１】
例えば、放射状突起８１ａの配設位置を表面側と裏面側とで周方向にずらして配設しても良く、放射状突起８１ａ及び円環状突起８１ｂの配設本数を表面側と裏面側とで異ならせても良い。また、位置決め突起８５，２８５，３８５の断面形状を表面側と裏面側とで異なるものとしても良い。
【０１２２】
上記第１及び第２実施例では、位置決め突起８５，２８５の断面形状を略正三角形または正六角形とする場合を説明したが、必ずしもこれに限られるわけではなく、例えば、かかる断面形状を正方形や正五角形、或いは、正七角形以上の多角形とすることは当然に可能である。
【０１２３】
但し、かかる位置決め突起８５，２８５の断面形状は、好ましくは正方形または正三角形とすることが良く、正三角形とすることが最も好ましい。
【０１２４】
多角形の角数を少なくするほど、位置決め突起８５，２８５自体を回転方向へ撓ませ難くすることができ、その結果、弾性仕切り膜８の位置決めに加え、オリフィス金具９に対するプレート金具１０の位置決め（即ち、オリフィス２０の流路長さの設定）も高精度に行い得るからである。また、正三角形の断面形状であれば、弾性仕切り膜８全体としての膜剛性が上昇することをより抑制しつつ、プレート金具１０等の回転方向の保持を安定して行うことができるからである。
【０１２５】
上記第３実施例では、位置決め突起３８５の断面形状が弾性仕切り膜８の軸心に対して回転方向に非対称の断面形状を有し、その断面形状が上面視円形の一部を直線で切断した形状とされる場合を説明したが、必ずしもこれに限られるわけではなく、弾性仕切り膜８の軸心Ｑに対して一定の角度だけ回転移動しても断面形状が一致しなければ、どのような断面形状で構成しても良い。例えば、二等辺三角形の断面形状や台形状の断面形状などが例示される。
【０１２６】
上記各実施例では、弾性仕切り膜８に６本の放射状突起８１ａと１本の円環状突起８１ｂとを設ける場合を説明したが、必ずしもこれに限られるわけではなく、要求特性等に応じて、これら各突起８１ａ，８１ｂの本数を適宜変更することは当然可能である。
【０１２７】
なお、この場合には、放射状突起８１ａは、周方向等間隔に配設されると共に、その放射状突起８１ａの本数は、位置決め突起８５の断面形状を構成する多角形の角数と同数または整数倍とされることが好ましい。位置決め突起８５の多角形の頂部を放射状突起８１ａの延設方向に一致させることで、弾性仕切り膜８全体としての膜剛性の上昇を抑制することができるからである。
【０１２８】
上記各実施例では、仕切り体７の組み立て状態において、格子状の壁部９４，１０４と弾性仕切り膜８の変位規制突起８１との間に隙間が形成される場合を説明したが、必ずしもこれに限られるわけではなく、弾性仕切り膜８の変位規制突起８１と格子状の壁部９４，１０４とが仕切り体７の組み立て状態において当接しているように構成することは当然可能である。
【図面の簡単な説明】
【０１２９】
【図１】本発明の第１実施例における液封入式防振装置の断面図である。
【図２】（ａ）は、オリフィス金具の上面図であり、（ｂ）は、図２（ａ）のＩＩｂ−ＩＩｂ線におけるオリフィス金具の断面図である。
【図３】図２（ａ）の矢印Ａ方向から見たオリフィス金具の側面図である。
【図４】（ａ）はプレート金具の上面図であり、（ｂ）は、図４（ａ）のＩＶｂ−ＩＶｂ線におけるプレート金具の断面図である。
【図５】（ａ）は、弾性仕切り膜の上面図であり、（ｂ）は、図５（ａ）のＶｂ−Ｖｂ線における弾性仕切膜の断面図である。
【図６】（ａ）は、仕切り体の上面図であり、（ｂ）は、図６（ａ）のＶＩｂ−ＶＩｂ線における仕切り体の断面図である。
【図７】仕切り体の上面図であり、オリフィスの流路長さを変更した状態を示す。
【図８】（ａ）及び（ｂ）は、それぞれ第２実施例におけるプレート金具及び弾性仕切り膜の上面図である。
【図９】（ａ）及び（ｂ）は、それぞれ第３実施例におけるプレート金具及び弾性仕切り膜の上面図である。
【符号の説明】
【０１３０】
１００                    液封入式防振装置
１                        第１取付け金具（第１取付け具）
２                        第２取付け金具（第２取付け具）
３                        防振基体
３３                      仕切り体受け部（仕切り手段受け部）
５                        ダイヤフラム
６                        液体封入室
６Ａ                      主液室
６Ｂ                      副液室
７                        仕切り体（仕切り手段）
８                        弾性仕切り膜
８１                      変位規制突起（リブ群）
８１ａ                    放射状突起（リブ群の一部）
８１ｂ                    円環状突起（リブ群の一部）
８５，２８５，３８５      位置決め突起（突起部）
９                        オリフィス金具（筒状部材）
９３                      貫通孔（オリフィス流路の出入口）
９４                      格子状の壁部
９４ｂ                    変位規制リブ（格子部の一部）
９４ｃ                    周縁壁（格子部の一部）
９５                      受入穴（受入部）
１０                      プレート金具（仕切り膜変位規制部材）
１０１                    切欠き部（オリフィス流路の出入口）
１０４                    格子状の壁部
１０４ｂ                  変位規制リブ（格子部の一部）
１０４ｃ                  周縁壁（格子部の一部）
１０５，２０５，３０５    受入穴（受入部）
２０                      オリフィス
Ｃ１〜Ｃ３                オリフィス流路
【図１】
2005351350.tif 000003
【図２】
2005351350.tif 000004
【図３】
2005351350.tif 000005
【図４】
2005351350.tif 000006
【図５】
2005351350.tif 000007
【図６】
2005351350.tif 000008
【図７】
2005351350.tif 000009
【図８】
2005351350.tif 000010
【図９】
2005351350.tif 000011